(57)【特許請求の範囲】
【請求項１】
第１読み取り面及び第２読み取り面を上部に備えた筐体と、
前記筐体の内部に固定された魚眼レンズと、
前記魚眼レンズの下部に固定され、当該魚眼レンズを介した受光結果に基づく読み取り画像信号を出力するエリアセンサと、
前記原稿が前記第１読み取り面に載置された際に前記魚眼レンズの第１視野角を介した受光結果に基づき前記エリアセンサから一括して出力される前記読み取り画像信号により、当該原稿に形成された画像を読み取る第１読み取り手段と、
前記第２読み取り面の上方に設けられ、前記原稿を前記第２読み取り面へと搬送した後、前記第１読み取り面側へ排出可能な原稿搬送装置と、
前記原稿搬送装置により搬送された原稿が前記第２読み取り面を通過する際に前記魚眼レンズの前記第１視野角と異なる位置の第２視野角を介した受光結果に基づき前記エリアセンサから順次出力される前記読み取り画像信号により、当該原稿に形成された画像を読み取る第２読み取り手段と、
前記第１読み取り手段又は前記第２読み取り手段により読み取られた画像の歪みを補正処理する補正処理手段と、
前記筐体の内部の前記第１読み取り面の下方に設けられ、当該第１読み取り面へ発光するための第１発光手段と、
前記筐体の内部の前記第２読み取り面の下方に設けられ、当該第２読み取り面へ発光するための第２発光手段と、
を有し、
前記エリアセンサは、
前記第１発光手段からの発光の前記第１読み取り面に載置された前記原稿での反射光、若しくは、前記第２発光手段からの発光の前記第２読み取り面を通過する前記原稿での反射光、を前記魚眼レンズを介して受光し、対応する前記読み取り画像信号を生成する受光手段を備え、
前記第２読み取り面は、
当該第２読み取り面を通過する前記原稿において反射した反射光を拡大及び屈折可能な光学制御部材を備える
ことを特徴とする画像読取装置。
【請求項２】
請求項１記載の画像読取装置において、
前記第２発光手段は、
前記光学制御部材の内部に設けられている
ことを特徴とする画像読取装置。
【請求項３】
請求項１又は２記載の画像読取装置において、
前記筐体の上部のうち前記第１読み取り面と前記第２読み取り面との間に設けられ、前記第１発光手段及び前記第２発光手段による発光量を調整するための白基準となる白基準板を有する
ことを特徴とする画像読取装置。
【請求項４】
請求項３記載の画像読取装置において、
前記筐体の内部を、前記第１発光手段側の領域と前記第２発光手段側の領域とに仕切るように前記白基準板の下方に設けられた、遮光壁を有する
ことを特徴とする画像読取装置。
【発明の詳細な説明】
【技術分野】
【０００１】
本発明は、原稿に形成された画像の読み取りを行う画像読取装置に関する。
【背景技術】
【０００２】
原稿に形成された画像の読み取りを行う画像読取装置として、例えば特許文献１に記載の従来技術がある。この従来技術の画像読取装置１は、いわゆるＦｌａｔ  Ｂｅｄ（ＦＢ）方式で画像の読み取りを行うＦＢユニットと、いわゆるＡｕｔｏｍａｔｉｃ  Ｄｏｃｕｍｅｎｔ  Ｆｅｅｄｅｒ（ＡＤＦ）方式で画像の読み取りを行うＡＤＦユニットとの双方を備える。
【０００３】
ＦＢユニットは、ＦＢ読取ユニット、第２プラテンガラス、及びガイドレールを備える。ＦＢ読取ユニットは、原稿を照射する第２光源、４枚の反射鏡、レンズ、ラインセンサを備える。また、このＦＢ読取ユニットは、当該ＦＢ読取ユニットをガイドレールに沿ってその方向に移動させるための移動手段を備える。一方、ＡＤＦユニットは、ＡＤＦ読取ユニット、第１プラテンガラス、ピックローラ、分離ローラ、一対の送りローラ、及び、一対の排出ローラを備える。ＡＤＦ読取ユニットは、原稿を照射する第１光源、３枚の反射鏡、レンズ、ラインセンサを備える。
【先行技術文献】
【特許文献】
【０００４】
【特許文献１】特開２００４−４８４３６号公報
【発明の概要】
【発明が解決しようとする課題】
【０００５】
上記従来技術では、ＦＢ方式で画像の読み取りを行うときには、ＦＢ読取ユニットは、第２プラテンガラスの下方において、その移動手段によりガイドレールに案内されつつ移動しながら、第２光源から原稿に照射された光の反射光を反射鏡で反射させることにより、その反射光をレンズを介してラインセンサに集光して画像を読み取る。このため、ラインセンサ等を移動させるため、ガイドレール及び移動手段等の移動機構が必要であった。
【０００６】
本発明の目的は、センサを移動させるための移動機構をなくすことができる画像読取装置を提供することにある。
【課題を解決するための手段】
【０００７】
上記目的を達成するために、第１の発明は、第１読み取り面及び第２読み取り面を上部に備えた筐体と、前記筐体の内部に固定された魚眼レンズと、前記魚眼レンズの下部に固定され、当該魚眼レンズを介した受光結果に基づく読み取り画像信号を出力するエリアセンサと、前記原稿が前記第１読み取り面に載置された際に前記魚眼レンズの第１視野角を介した受光結果に基づき前記エリアセンサから一括して出力される前記読み取り画像信号により、当該原稿に形成された画像を読み取る第１読み取り手段と、前記第２読み取り面の上方に設けられ、前記原稿を前記第２読み取り面へと搬送した後、前記第１読み取り面側へ排出可能な原稿搬送装置と、前記原稿搬送装置により搬送された原稿が前記第２読み取り面を通過する際に前記魚眼レンズの前記第１視野角と異なる位置の第２視野角を介した受光結果に基づき前記エリアセンサから順次出力される前記読み取り画像信号により、当該原稿に形成された画像を読み取る第２読み取り手段と、前記第１読み取り手段又は前記第２読み取り手段により読み取られた画像の歪みを補正処理する補正処理手段と、前記筐体の内部の前記第１読み取り面の下方に設けられ、当該第１読み取り面へ発光するための第１発光手段と、前記筐体の内部の前記第２読み取り面の下方に設けられ、当該第２読み取り面へ発光するための第２発光手段と、を有し、前記エリアセンサは、前記第１発光手段からの発光の前記第１読み取り面に載置された前記原稿での反射光、若しくは、前記第２発光手段からの発光の前記第２読み取り面を通過する前記原稿での反射光、を前記魚眼レンズを介して受光し、対応する前記読み取り画像信号を生成する受光手段を備え、前記第２読み取り面は、当該第２読み取り面を通過する前記原稿において反射した反射光を拡大及び屈折可能な光学制御部材を備えることを特徴とする。
【０００８】
本願第１発明においては、筐体の上部に第１読み取り面と第２読み取り面とが設けられている。第１読み取り面は、いわゆるフラットベッド（ＦＢ：Ｆｌａｔ  Ｂｅｄ）方式で原稿の画像を読み取るときに用いられ、第２読み取り面は、原稿搬送装置（ＡＤＦ：Ａｕｔｏｍａｔｉｃ  Ｄｏｃｕｍｅｎｔ  Ｆｅｅｄｅｒ）により原稿の画像を読み取るときに用いられる。いずれの場合も、筐体の内部に固定されたエリアセンサが魚眼レンズを介して受光した受光結果に基づいて、読み取りが実行される。
【０００９】
すなわち、ＦＢ方式で読み取りが行われるときは、ユーザにより原稿が第１読み取り面に載置される。この第１読み取り面は例えば原稿の大きさと等しいか十分大きく構成されており、この第１読み取り面に載置された原稿に形成された画像から魚眼レンズが第１視野角を介して一括して受光する。そして、その一括して受光された受光結果に対応して、エリアセンサが一括して画像読み取り信号を出力する。この読み取り画像信号を用いて、第１読み取り手段が原稿の画像を読み取る。
【００１０】
一方、ＡＤＦ方式で読み取りが行われるときは、ユーザによりセットされた原稿が原稿搬送装置によって第２読み取り面へと搬送され、第２読み取り面を通過する。この第２読み取り面は例えば原稿の大きさよりも小さく構成されており、第２読み取り面を原稿が通過する際、当該原稿に形成された画像から魚眼レンズが（上記第１視野角とは異なる位置の）第２視野角を介して順次受光する。そして、その順次受光された受光結果に対応して、エリアセンサが順次画像読み取り信号を出力する。この読み取り画像信号を用いて、第２読み取り手段が原稿の画像を読み取る。
【００１１】
第１読み取り手段及び第２読み取り手段による読み取り画像には、魚眼レンズの第１視野角又は第２視野角に起因する歪みが含まれているので、その歪みに対し補正処理手段が所定の補正処理を行う。
【００１２】
以上のように、本願第１発明においては、ＦＢ方式で読み取りが行われるときもＡＤＦ方式で読み取りが行われるときも、いずれも筐体の内部に固定的に配置された魚眼レンズ及びエリアセンサを用いて、読み取りを行う。したがって、両方式において別々のセンサ（読み取り素子）を用いていた場合に比べ、センサ数を低減することができ、制御機構を簡素化することもできる。また、ＦＢ方式の読み取りを行うときに従来構造において必要であったラインセンサ（又はミラー）を移動させるための移動機構が不要になる。この結果、当該移動機構を設けるスペースが不要となって装置全体を小型化できる。また移動機構による騒音やノイズの発生も防止できる。さらに、本願第１発明ではＦＢ方式の読み取りでは原稿の画像に対してエリアセンサが一括して読み取りを行い画像信号を出力する。これにより、上記移動機構を用いた従来構造において必要であった移動機構の移動に要する時間や、画像信号の合成処理に要する時間が不要となり、読み取りを迅速化することができる。
【００１３】
また、ＡＤＦ方式で読み取りを行う際には、筐体の上部に第１読み取り面とは別に設けられた第２読み取り面に対し原稿搬送装置で搬送を行い、従来と同様、第２読み取り面を通過する際の原稿に対する上記魚眼レンズを介したエリアセンサの受光結果に基づいて読み取りが行われる。したがって、従来構造の原稿搬送装置をそのまま活用して読み取りを行うことができる。また、原稿搬送装置が、原稿を第２読み取り面へと搬送した後、第１読み取り面へ排出するようにすることで、排紙トレイを別途設ける必要がなくなり、搬送機構を簡略化できる効果もある。
【００１４】
また、本願第１発明においては、ＦＢ方式で読み取りが行われるときは、第１読み取り面の下方に設けられた第１発光手段からの発光が、第１読み取り面に載置された原稿において反射し、その反射光を魚眼レンズの第１視野角を介してエリアセンサの受光手段が一括して受光し、対応する画像読み取り信号を出力する。
【００１５】
ＡＤＦ方式で読み取りが行われるときは、第２読み取り面の下方に設けられた第２発光手段からの発光が、原稿搬送装置の搬送により第２読み取り面を通過する原稿において反射し、その反射光を魚眼レンズの第２視野角を介してエリアセンサの受光手段が順次受光し、対応する画像読み取り信号を順次出力する。
【００１６】
このようにして、ＦＢ方式であってもＡＤＦ方式であっても円滑に発光及び受光を行い、原稿の画像の読み取りを行うことができる。そして、ＡＤＦ方式で読み取りが行われるとき、第２発光手段からの発光が第２読み取り面を通過する原稿において反射した反射光は、光学制御部材によって拡大及び屈折された後、魚眼レンズに入射してエリアセンサの受光手段で受光される。これにより、上記入射時において魚眼レンズによる上記第２視野角を拡大することが可能となる。この結果、第２読み取り面を順次通過する原稿の画像の１ラインを、より多くの画素でデータ化できることとなる。したがって、歪みや色の補正を、より高精度に行うことができる。
【００１７】
第２の発明は、上記第１発明において、前記第２発光手段は、前記光学制御部材の内部に設けられていることを特徴とする。光学制御部材の内部に第２発光手段を設けることで、第２発光手段からの発光時に光学制御部材による影やムラが生じないようにすることができる。
【００１８】
第３の発明は、上記第１又は第２発明において、前記筐体の上部のうち前記第１読み取り面と前記第２読み取り面との間に設けられ、前記第１発光手段及び前記第２発光手段による発光量を調整するための白基準となる白基準板を有することを特徴とする。
【００１９】
これにより、ＦＢ方式及びＡＤＦ方式において共通の白基準板を用いて、発光手段からの発光の明るさ調整や、読み取られた画像のホワイトバランスの調整ができる。この結果、ＦＢ方式で読み取られた画像の色合いや明るさと、ＡＤＦ方式で読み取られた画像の色合いや明るさとの、ずれを抑えることができる。
【００２０】
第４の発明は、上記第３発明において、前記筐体の内部を、前記第１発光手段側の領域と前記第２発光手段側の領域とに仕切るように前記白基準板の下方に設けられた、遮光壁を有することを特徴とする。
【００２１】
これにより、ＡＤＦ方式で読み取りが行われるときに第２読み取り面の下方に設けられた第２発光手段からの発光が、第１読み取り面側及び第１発光手段側に漏れにくくすることができる。
【発明の効果】
【００２４】
本発明によれば、センサを移動させるための移動機構をなくすことができる。
【図面の簡単な説明】
【００２５】
【図１】本発明の一実施の形態の画像読取装置の全体概略構成を表す縦断面図である。
【図２】画像読取装置の機能的構成を表すブロック図である。
【図３】エリアセンサについて説明する概念的説明図である。
【図４】ＦＢ方式での画像の読み取りについて説明する説明図である。
【図５】ＡＤＦ方式での画像の読み取りについて説明する説明図である。
【図６】ＲＯＭ３２に記憶されたプログラムに基づいてＣＰＵ３０によって実行される制御内容を表すフローチャートである。
【図７】ＡＤＦ用読み取り面にプリズムレンズを設ける変形例において、画像読取装置の全体概略構成を表す縦断面図である。
【図８】プリズムレンズを表す斜視図である。
【図９】プリズムレンズのバリエーションを表す変形例において、プリズムレンズを表す斜視図である。
【図１０】プリズムレンズのバリエーションを表す変形例において、プリズムレンズを表す斜視図である。
【発明を実施するための形態】
【００２６】
以下、本発明の一実施の形態を図面を参照しつつ説明する。なお、以下の各図内に「左」「右」「上」「下」の注記がある場合は、明細書中内の説明における、左方、右方、上方、下方とは、その注記された方向を指す。
【００２７】
図１は、本実施形態の画像読取装置の全体概略構成を表す縦断面図である。
【００２８】
図１においては、画像読取装置１は、いわゆるＦｌａｔ  Ｂｅｄ（ＦＢ）方式、及び、いわゆるＡｕｔｏｍａｔｉｃ  Ｄｏｃｕｍｅｎｔ  Ｆｅｅｄｅｒ（ＡＤＦ）方式、の両方式により、例えば用紙や書籍等の原稿ＭＳ（ＭＳ：ＭａｎｕＳｃｒｉｐｔの略称。後述の図３等参照）に形成された文字、図形、写真等の画像を読み取ることが可能な画像読取装置である。この画像読取装置１は、筐体２と、給紙トレイ４と、原稿ガイド６と、ＡＤＦ３（原稿搬送装置）とを有している。
【００２９】
筐体２は、上部が開口された略直方体形状に形成されており、その開口された上部のうち右側にＦＢ用読み取り面１０（第１読み取り面）を、その開口された上部のうち左側にＡＤＦ用読み取り面１１（第２読み取り面）を、その開口された上部のうち上記ＦＢ用読み取り面１０及びＡＤＦ用読み取り面１１の間に白基準板１４を、備えている。
【００３０】
ＦＢ用読み取り面１０は、ＦＢ方式で原稿ＭＳに形成された画像を読み取るときに用いられる。ＦＢ方式で原稿ＭＳに形成された画像を読み取る場合には、原稿ＭＳがＦＢ用読み取り面１０に載置された状態で、当該原稿ＭＳに形成された画像が一括して読み取られる（詳細は後述の図４参照）。ＦＢ用読み取り面１０に対応する位置には、無色透明なガラス板からなるプラテンガラス１２が設けられている。このプラテンガラス１２の上面が、実質的にはＦＢ用読み取り面１０となる。
【００３１】
ＡＤＦ用読み取り面１１は、ＡＤＦ方式で原稿ＭＳに形成された画像を読み取るときに用いられる。ＡＤＦ方式で原稿ＭＳに形成された画像を読み取る場合には、原稿ＭＳがＡＤＦ用読み取り面１１を通過する際に、当該原稿ＭＳに形成された画像が１ラインずつ順次読み取られる（詳細は後述の図５参照）。ＡＤＦ用読み取り面１１に対応する位置には、無色透明なガラス板からなるプラテンガラス１３が設けられている。このプラテンガラス１３の上面が、実質的にはＡＤＦ用読み取り面１１となる。
【００３２】
また、筐体２の内部には、魚眼レンズ１６と、エリアセンサ１５と、２つのＦＢ用光源１７，１７（第１発光手段）と、ＡＤＦ用光源１８（第２発光手段）と、分離板１９（遮光板）とが設けられている。
【００３３】
魚眼レンズ１６は、筐体２の下部に固定されており、上記ＦＢ用読み取り面１０、白基準板１４、及びＡＤＦ用読み取り面１１に対応した視野角θ１を介して光を入射可能に構成されている。
【００３４】
エリアセンサ１５は、上記魚眼レンズ１６の下部に固定されており、原稿ＭＳでの反射光が魚眼レンズ１６を介して受光（集光）された受光結果（言い換えれば魚眼レンズ１６による結像結果）に基づき、対応する読み取り画像信号を出力する。具体的には、ＦＢ方式で原稿ＭＳに形成された画像を読み取る場合には、ＦＢ用読み取り面１０（言い換えればプラテンガラス１２の上面）に載置された原稿ＭＳからの反射光が魚眼レンズ１６を介して受光された受光結果に基づき、対応する読み取り画像信号を一括して出力する。ＡＤＦ方式で原稿ＭＳに形成された画像を読み取る場合には、ＡＤＦ３の後述のローラ２０，２１，２２により搬送された原稿ＭＳがＡＤＦ用読み取り面１１（言い換えればプラテンガラス１３の上面）を通過する際に、当該原稿ＭＳからの反射光が魚眼レンズ１６を介して受光された受光結果に基づき、対応する読み取り画像信号を順次出力する。なお、上記魚眼レンズ１６介した受光結果に基づく読み取り画像信号で表される画像は、当該魚眼レンズ１６の広い視野角に起因して、全体的に扇上に歪曲した画像となる。
【００３５】
ＦＢ用光源１７，１７は、それぞれ、上記ＦＢ用読み取り面１０の下方に設けられており、当該ＦＢ用読み取り面１０へ向けて、この例では白色の光を発光する。
【００３６】
ＡＤＦ用光源１８は、上記ＡＤＦ用読み取り面１１の下方に設けられており、当該ＡＤＦ用読み取り面１１へ向けて、この例では白色の光を発光する。
【００３７】
分離板１９は、筐体２の内部を、上記ＦＢ用光源１７側の領域（分離板１９よりも右側の領域）と、上記ＡＤＦ用光源１８側の領域（分離板１９よりも左側の領域）とに仕切るように、上記白基準板１４の下方に立設されている。この分離板１９は、その上端部がＡＤＦ用光源１８の上端部よりも上方に位置するように、所定の上下方向の寸法を備えている。
【００３８】
白基準板１４は、その下面（エリアセンサ１５により読み取り可能な面）全域が白色である。なお、白基準板１４は、白色の樹脂等により構成してもよいし、適当な色の素材を白色に塗装して構成してもよい。
【００３９】
一方、ＡＤＦ方式で原稿ＭＳから画像を読み取るときに、その原稿ＭＳを保持する給紙トレイ４は、ヒンジ５を備えており、ヒンジ５の部分で略９０度の範囲で、上方へ回転可能な構造である。すなわち、ＡＤＦ方式で原稿ＭＳから画像を読み取るときは、給紙トレイ４を原稿ＭＳを積載可能な姿勢（図１に示す給紙トレイ４の姿勢）にして、上記ＡＤＦ３の内部へ送り込むための原稿ＭＳを保持させることができる。一方、ＦＢ方式で原稿ＭＳから画像を読み取るときは、給紙トレイ４をヒンジ５の部分で略９０度上方へ回転させた姿勢（図４に示す給紙トレイ４の姿勢）にして、ＦＢ読み取り面１０に原稿ＭＳを置く邪魔にならないように、当該ＦＢ読み取り面１０の上方に広く空間を開けることができる。
【００４０】
また、原稿ガイド６は、上記給紙トレイ４の上部に配設されており、当該給紙トレイ４に載置される原稿ＭＳの幅方向の両端部をガイドする。
【００４１】
また、ＡＤＦ３は、上記ＡＤＦ用読み取り面１１の上方に設けられており、ＡＤＦカバー７と、複数の（この例では３つの）ローラ２０，２１，２２とを備えている。
【００４２】
ローラ２０，２１，２２は、駆動用モータ３５（後述の図２参照）からの駆動力が伝達されることによって、それぞれ回転駆動される。これらローラ２０，２１，２２は、互いに協働して、上記ＡＤＦカバー７の内側に形成された所定の搬送経路（矢印ア、イ、ウを参照）に沿って、上記給紙トレイ４に載置された原稿ＭＳを１枚ずつ搬送する。具体的には、給紙トレイ４に載置された原稿ＭＳを、上記ＡＤＦ用読み取り面１１へと１枚ずつ搬送し、当該ＡＤＦ用読み取り面１１を通過させた後、上記ＦＢ用読み取り面１０側へ排出する。
【００４３】
また、ＡＤＦカバー７の内側には、上記搬送経路の上流側に配設されたローラ２０の近傍に、原稿センサ２３が配設されている。原稿センサ２３は、上記給紙トレイ４上の原稿ＭＳの有無を検出するセンサである。
【００４４】
図２は、画像読取装置１の機能的構成を表すブロック図である。
【００４５】
図２において、画像読取装置１は、ＣＰＵ３０と、ＲＡＭ３１と、ＲＯＭ３２と、インターフェース（図中では「Ｉ／Ｆ」と略記している）３３と、上記エリアセンサ１５と、上記原稿センサ２３と、上記ローラ２０，２１，２２を駆動する駆動用モータ３５と、上記ＦＢ用光源１７と、上記ＡＤＦ用光源１８と、原稿ＭＳに形成された画像の読み取りを開始させるスタートボタン３６とを有している。
【００４６】
ＣＰＵ３０は、ＲＡＭ３１の一時記憶機能を利用しつつ、ＲＯＭ３２に記憶されたプログラムを実行することにより、画像読取装置１全体の動作を制御する。
【００４７】
ＲＯＭ３２には、画像読取装置１の制御上必要な各種プログラムが格納されている。例えば、ＦＢ用歪み補正プログラム、ＡＤＦ用歪み補正プログラム、ＦＢ用光源制御プログラム、ＡＤＦ用光源制御プログラム、ＡＤＦ用モータ制御プログラム、白補正プログラム、画像処理プログラム、インターフェース制御プログラム等が格納されている。
【００４８】
インターフェース３３は、原稿ＭＳから読み取られた画像を、パーソナルコンピュータやプリンタ等の外部機器１００に提供するためのインターフェースである。このインターフェース３３は、例えば、Ｕｎｉｖｅｒｓａｌ  Ｓｅｒｉａｌ  Ｂｕｓ（ＵＳＢ）接続のためのＵＳＢインターフェースや、ＳＤカードなどのメモリカードスロットや、無線又は有線のネットワークインターフェースなどから構成される。
【００４９】
エリアセンサ１５は、例えばフォトダイオード等から構成される光電変換素子３４（受光手段）を備えている。光電変換素子３４は、上記ＦＢ用読み取り面１０に載置された原稿ＭＳからの反射光、若しくは、上記ＡＤＦ用読み取り面１１を通過する原稿ＭＳからの反射光を、魚眼レンズ１６を介して受光する。そして、その受光結果を光電変換して、対応する読み取り画像信号を生成する。
【００５０】
図３は、上記エリアセンサ１５について説明する概念的説明図である。
【００５１】
図３において、エリアセンサ１５は、原稿ＭＳでの反射光を赤色成分に分離する赤フィルタ２４Ｒが装着されたエリアセンサ１５Ｒ、原稿ＭＳでの反射光を緑色成分に分離する緑フィルタ２４Ｇが装着されたエリアセンサ１５Ｇ、及び、原稿ＭＳでの反射光を青色成分に分離する青フィルタ２４Ｂが装着されたエリアセンサ１５Ｂから構成されている。
【００５２】
エリアセンサ１５Ｒは、上記原稿ＭＳでの反射光を、上記魚眼レンズ１６及び赤色フィルタ２４Ｒを介して受光し、その受光した赤色成分の受光結果に基づく読み取り画像信号を出力する。エリアセンサ１５Ｇは、上記原稿ＭＳでの反射光を、上記魚眼レンズ１６及び緑色フィルタ２４Ｇを介して受光し、その受光した緑色成分の受光結果に基づく読み取り画像信号を出力する。エリアセンサ１５Ｂは、上記原稿ＭＳでの反射光を、上記魚眼レンズ１６及び青色フィルタ２４Ｂを介して受光し、その受光した青色成分の受光結果に基づく読み取り画像信号を出力する。本実施形態においては、上記のように、光源１７，１８による白色の光を原稿ＭＳに照射し、その白色の光の原稿ＭＳでの反射光を、フィルタ２４Ｒ，２４Ｇ，２４Ｂを介して赤色、緑色、青色の各成分に分離した後に、エリアセンサ１５（詳細にはエリアセンサ１５Ｒ，１５Ｇ，１５Ｂ）で受光することにより、カラー読み取りを行う。これにより、カラー読み取りの際に、１回の読み取りで、赤、緑、青の３色のデータを読み取ることができる。
【００５３】
上記構成である本実施形態の最大の特徴は、原稿ＭＳがＦＢ用読み取り面１０に載置された際に、魚眼レンズ１６のＦＢ用視野角θ３（後述の図４参照）を介した受光結果に基づき、エリアセンサ１５から一括して出力される読み取り画像信号により、当該原稿ＭＳに形成された画像を読み取ること、ＡＤＦ３により搬送された原稿ＭＳがＡＤＦ用読み取り面１１を通過する際に、魚眼レンズ１６のＡＤＦ用視野角θ４（後述）を介した受光結果に基づき、エリアセンサ１５から順次出力される読み取り画像信号により、当該原稿ＭＳに形成された画像を読み取ること、及び、読み取られた画像の歪みを補正処理すること、にある。以下、それらの詳細を説明する。
【００５４】
図４は、ＦＢ方式での画像の読み取りについて説明する説明図である。
【００５５】
図４において、ＦＢ方式で画像の読み取りが行われるときは、給紙トレイ４が上記ヒンジ５の部分で略９０度上方へ回転させた姿勢とされ、原稿ＭＳ（図４に示す例では書籍）がＦＢ用読み取り面１０に載置される。そして、上記スタートボタン３６が押下されると、ＦＢ用読み取り面１０に載置された原稿ＭＳに形成された画像の読み取りが開始される。
【００５６】
ＦＢ方式での画像の読み取りでは、ＦＢ用光源１７が点灯し、そのＦＢ用光源１７からの発光が、ＦＢ用読み取り面１０に載置された原稿ＭＳにおいて反射される。このため、ＦＢ用光源１７からの発光の、ＦＢ用読み取り面１０に載置された原稿ＭＳでの反射光は、当該ＦＢ用読み取り面１０に対応したＦＢ用視野角θ３（第１視野角）を介して魚眼レンズ１６に入射される。したがって、エリアセンサ１５は、原稿ＭＳがＦＢ用読み取り面１０に載置された際に、魚眼レンズ１６の視野角θ１を介した受光結果のうち、上記ＦＢ用視野角θ３を介した受光結果に基づき、対応する読み取り画像信号を一括して生成し、ＣＰＵ３０に一括して出力する。なお、ＦＢ用光源１７からの発光の、白基準板１４での反射光は、当該白基準板１４に対応した白基準用視野角θ２を介して魚眼レンズ１６に入射される。本実施形態では、上記ＦＢ用視野角θ３を介した受光結果に基づく読み取り画像信号を一括して生成して出力する前に、白基準を読み取るため、魚眼レンズ１６の視野角θ１を介した受光結果のうち、上記白基準用視野角θ２を介した受光結果に基づき、対応する読み取り画像信号が生成され、ＣＰＵ３０に出力される。
【００５７】
そして、エリアセンサ１５から一括して出力される上記読み取り画像信号を用いて、ＦＢ用読み取り面１０に載置された原稿ＭＳに形成された画像が読み取られる。なお、この読み取り画像には、魚眼レンズ１６のＦＢ用視野角θ３に起因する歪みが含まれているので、その歪みに対し所定の補正処理が行われる（詳細は後述）。
【００５８】
図５は、ＡＤＦ方式での画像の読み取りについて説明する説明図である。
【００５９】
図５において、ＡＤＦ方式で画像の読み取りが行われるときは、給紙トレイ４が上記原稿ＭＳを積載可能な姿勢とされ、当該給紙トレイ４に原稿ＭＳ（図４に示す例では複数の用紙）が載置される。そして、ＦＢ方式の場合と同様、上記スタートボタン３６が押下されると、給紙トレイ４に載置された原稿ＭＳに形成された画像の読み取りが開始される。
【００６０】
ＡＤＦ方式での画像の読み取りでは、ＡＤＦ用光源１８が点灯し、その後、給紙トレイ４に載置された原稿ＭＳが、ＡＤＦ３のローラ２０，２１，２２によってＡＤＦ用読み取り面１１へと搬送され、ＡＤＦ用読み取り面１１を通過する。このとき、ＡＤＦ用光源１８からの発光が、ＡＤＦ用読み取り面１１を通過する原稿ＭＳにおいて反射される。このため、ＡＤＦ用光源１８からの発光の、ＡＤＦ用読み取り面１１を通過する原稿ＭＳでの反射光は、上記ＦＢ用視野角θ３と異なる位置の、当該ＡＤＦ用読み取り面１１に対応したＡＤＦ用視野角θ４（第２視野角）を介して魚眼レンズ１６に入射される。したがって、エリアセンサ１５は、原稿ＭＳがＡＤＦ用読み取り面１１を通過する際に、魚眼レンズ１６の視野角θ１を介した受光結果のうち、上記ＡＤＦ用視野角θ４を介した受光結果に基づき、対応する読み取り画像信号を１ラインずつ順次生成し、ＣＰＵ３０に順次出力する。なお、ＡＤＦ用光源１８からの発光の、白基準板１４での反射光は、上記白基準用視野角θ２を介して魚眼レンズ１６に入射される。本実施形態では、上記ＡＤＦ用視野角θ４を介した受光結果に基づく読み取り画像信号を順次生成して出力する前に、白基準を読み取るため、魚眼レンズ１６の視野角θ１を介した受光結果のうち、上記白基準用視野角θ２を介した受光結果に基づき、対応する読み取り画像信号が生成され、ＣＰＵ３０に出力される。
【００６１】
そして、エリアセンサ１５から順次出力される上記読み取り画像信号を用いて、給紙トレイ４に載置された原稿ＭＳに形成された画像が読み取られる。なお、この読み取り画像には、魚眼レンズ１６のＡＤＦ用視野角θ４に起因する歪みが含まれているので、その歪みに対し所定の補正処理が行われる（詳細は後述）。
【００６２】
図６は、ＲＯＭ３２に記憶されたプログラムに基づいてＣＰＵ３０によって実行される制御内容を表すフローチャートである。
【００６３】
図６において、この処理は、例えばユーザにより上記スタートボタン３６が押下されることによって開始される。
【００６４】
まずステップＳ１０で、ＣＰＵ３０は、上記原稿センサ２３からの出力信号に基づき、画像の読み取りのモードを判定する。原稿センサ２３からの出力信号が給紙トレイ４に原稿ＭＳが載置されていない旨の信号であった場合には、ＦＢ方式で画像の読み取りを行うＦＢモードであるとみなされ、ステップＳ２０に移る。
【００６５】
ステップＳ２０では、ＣＰＵ３０は、ＦＢ用光源１７を点灯させる。
【００６６】
その後、ステップＳ３０で、ＣＰＵ３０は、白基準の読み取りを行う。すなわち、ＣＰＵ３０は、エリアセンサ１５の光電変換素子３４に、ＦＢ用光源１７からの発光の反射光を、魚眼レンズ１６の視野角θ１を介して受光させる。そして、その受光結果のうち、魚眼レンズ１６の白基準用視野角θ２を介した受光結果に基づき、対応する読み取り画像信号を生成させる。その後、エリアセンサ１５に、その生成された読み取り画像信号を、ＣＰＵ４０に出力させる。そして、ＣＰＵ３０は、上記エリアセンサ１５から出力される読み取り画像信号を用いて、原稿ＭＳに形成された画像の読み取り結果を補正するための基準データを生成し、ＲＡＭ３１に記憶させる。あるいは、上記エリアセンサ１５から出力される読み取り画像信号を用いて、当該読み取り画像信号が所定レベルになるように、ＦＢ用光源１７による発光量を調整するようにしてもよい。
【００６７】
そして、ステップＳ４０に移り、ＣＰＵ３０は、ＦＢ用読み取り面１０に載置された原稿ＭＳに形成された画像の読み取りを行う。すなわち、ＣＰＵ３０は、エリアセンサ１５の光電変換素子３４に、ＦＢ用光源１７からの発光の反射光を、魚眼レンズ１６の視野角θ１を介して受光させる。その後、その受光結果のうち、魚眼レンズ１６のＦＢ用視野角θ３を介した受光結果に基づき、対応する読み取り画像信号を生成させる。そして、エリアセンサ１５に、その生成された読み取り画像信号を、ＣＰＵ４０に一括して出力させる。その後、ＣＰＵ３０は、上記エリアセンサ１５から一括して出力される読み取り画像信号を用いて、上記原稿ＭＳに形成された画像を読み取る。なお、このステップＳ４０の手順が、各請求項記載の第１読み取り手段として機能する。
【００６８】
その後、ステップＳ５０で、ＣＰＵ３０は、ＦＢ用光源１７を消灯させる。
【００６９】
そして、ステップＳ６０に移り、ＣＰＵ３０は、公知の適宜の手法により、上記ステップＳ４０で読み取られた画像の歪みを補正処理する。
【００７０】
その後、ステップＳ７０で、ＣＰＵ３０は、上記ステップＳ６０で補正処理された画像データに対して、上記ステップＳ３０で生成されＲＡＭ３１に記憶された基準データを用いて、周知のシェーディング補正、ホワイトバランス補正、ガンマ補正等の画像処理を行う。
【００７１】
そして、ステップＳ８０に移り、ＣＰＵ３０は、上記ステップＳ７０で画像処理された画像データを、上記インターフェース３３を介し外部機器１００に出力する。その後、このフローを終了する。
【００７２】
一方、ステップＳ１０において、原稿センサ２３からの出力信号が給紙トレイ４に原稿ＭＳが載置されている旨の信号であった場合には、ＡＤＦ方式で画像の読み取りを行うＡＤＦモードであるとみなされ、ステップＳ９０に移る。
【００７３】
ステップＳ９０では、ＣＰＵ３０は、ＡＤＦ光源１８を点灯させる。
【００７４】
その後、ステップＳ１００で、ＣＰＵ３０は、白基準の読み取りを行う。すなわち、ＣＰＵ３０は、エリアセンサ１５の光電変換素子３４に、ＡＤＦ用光源１８からの発光の反射光を、魚眼レンズ１６の視野角θ１を介して受光させる。そして、その受光結果のうち、魚眼レンズ１６の白基準用視野角θ２を介した受光結果に基づき、対応する読み取り画像信号を生成させる。その後、エリアセンサ１５に、その生成された読み取り画像信号を、ＣＰＵ４０に出力させる。そして、ＣＰＵ３０は、上記エリアセンサ１５から出力される読み取り画像信号を用いて、原稿ＭＳに形成された画像の読み取り結果を補正するための基準データを生成し、ＲＡＭ３１に記憶させる。あるいは、上記エリアセンサ１５から出力される読み取り画像信号を用いて、当該読み取り画像信号が所定レベルになるように、ＡＤＦ用光源１８による発光量を調整するようにしてもよい。
【００７５】
そして、ステップＳ１１０に移り、ＣＰＵ３０は、上記原稿センサ２３からの出力信号に基づき、給紙トレイ４に原稿ＭＳが載置されているかどうかを判定する。給紙トレイ４に原稿ＭＳが載置されている場合には、ステップＳ１１０の判定が満たされて、ステップＳ１２０に移る。
【００７６】
ステップＳ１２０では、ＣＰＵ３０は、駆動用モータ３５を駆動し、ＡＤＦ３のローラ２０，２１，２２を回転させ、給紙トレイ４に載置された原稿ＭＳの搬送を開始させる。なお、前述したように、給紙トレイ４に載置された原稿ＭＳは、ローラ２０，２１，２２により１枚ずつ搬送される。
【００７７】
その後、ステップＳ１３０で、ＣＰＵ３０は、給紙トレイ４に載置された後、ＡＤＦ３のローラ２０，２１，２２により搬送され、ＡＤＦ用読み取り面１１を通過する原稿ＭＳに形成された画像の読み取りを行う。すなわち、ＣＰＵ３０は、ローラ２０，２１，２２により搬送された原稿ＭＳの先端がＡＤＦ用読み取り面１１に到達したら、エリアセンサ１５の光電変換素子３４に、ＡＤＦ用光源１８からの発光の反射光を、魚眼レンズ１６の視野角θ１を介して受光させる。そして、その受光結果のうち、魚眼レンズ１６のＡＤＦ用視野角θ４を介した受光結果に基づき、対応する読み取り画像信号を生成させる。その後、エリアセンサ１５に、その生成された読み取り画像信号を、ＣＰＵ４０に出力させる。そして、ローラ２０，２１，２２による原稿ＭＳの搬送に合わせて、上記魚眼レンズ１６のＡＤＦ用視野角θ４を介した受光結果に基づく読み取り画像信号の生成及び出力を、当該原稿ＭＳがＦＢ用読み取り面１０側へ排出されるまで、順次繰り返し実行させる。その後、ＣＰＵ３０は、公知の適宜の手法により、上記エリアセンサ１５から順次出力される読み取り画像信号を合成処理する。これにより、上記原稿ＭＳに形成された画像を読み取る。なお、このステップＳ１３０の手順が、各請求項記載の第２読み取り手段として機能する。
【００７８】
そして、ステップＳ１４０に移り、ＣＰＵ３０は、駆動用モータ３５を停止し、ＡＤＦ３のローラ２０，２１，２２による原稿ＭＳの搬送を停止させる。
【００７９】
その後、ステップＳ１５０で、ＣＰＵ３０は、公知の適宜の手法により、上記ステップＳ１３０で読み取られた画像の歪みを補正処理する。なお、このステップＳ１５０の手順と、上記ステップＳ６０の手順とが、各請求項記載の補正処理手段として機能する。
【００８０】
そして、ステップＳ１６０に移り、ＣＰＵ３０は、上記ステップＳ１５０で補正処理された画像データに対して、上記ステップＳ１００で生成されＲＡＭ３１に記憶された基準データを用いて、周知のシェーディング補正、ホワイトバランス補正、ガンマ補正等の画像処理を行う。
【００８１】
その後、ステップＳ１７０で、ＣＰＵ３０は、上記ステップＳ１６０で画像処理された画像データを、上記インターフェース３３を介し外部機器１００に出力する。その後、上記ステップＳ１１０に戻り同様の手順を繰り返す。
【００８２】
一方、ステップＳ１１０において、給紙トレイ４に原稿ＭＳが載置されていなかった場合には、ステップＳ１１０の判定が満たされず、ステップＳ１８０に移る。
【００８３】
ステップＳ１８０では、ＣＰＵ３０は、ＡＤＦ光源１８を消灯させる。その後、このフローを終了する。
【００８４】
なお、上記フローチャートは本発明を上記フローに示す手順に限定するものではなく、発明の趣旨及び技術的思想を逸脱しない範囲内で手順の追加・削除又は順番の変更等をしてもよい。例えば、ステップＳ３０及びステップＳ１００の手順を省略し、ステップＳ４０及びステップＳ１３０の手順で画像の読み取りと同時に白基準の読み取りを行うようにしてもよい。
【００８５】
以上説明したように、本実施形態においては、ＦＢ方式及びＡＤＦ方式のいずれの場合も、筐体２の内部に固定的に配置された魚眼レンズ１６及びエリアセンサ１５を用いて、原稿ＭＳに形成された画像の読み取りを行う。したがって、両方式において別々のセンサ（読み取り素子）を用いていた場合に比べ、センサ数を低減することができ、制御機構を簡素化することもできる。また、ＦＢ方式で画像の読み取りを行うときに従来構造において必要であったラインセンサ（又はミラー）を移動させるための移動機構が不要になる。この結果、当該移動機構を設けるスペースが不要となって装置全体を小型化できる。また、当該移動機構による騒音やノイズの発生も防止できる。
【００８６】
さらに、ＦＢ方式で画像の読み取りを行う際には、ＦＢ用読み取り面１０に載置された原稿ＭＳに形成された画像に対してエリアセンサ１５が一括して読み取りを行い、対応する読み取り画像信号を出力する。これにより、上記移動機構を用いた従来構造において必要であった移動機構の移動に要する時間や、画像信号の合成処理に要する時間が不要となり、画像の読み取りを迅速化することができる。
【００８７】
また、ＡＤＦ方式で画像の読み取りを行う際には、ＡＤＦ３のローラ２０，２１，２２により、筐体２の上部にＦＢ用読み取り面１０とは別に設けられたＡＤＦ用読み取り面１１に対して原稿ＭＳを搬送する。そして、従来と同様、ＡＤＦ用読み取り面１１を通過する際の原稿ＭＳに対する上記魚眼レンズ１６を介したエリアセンサ１５の受光結果に基づき、画像の読み取りが行われる。したがって、従来構造のＡＤＦ３をそのまま活用して、画像の読み取りを行うことができる。また、ＡＤＦ３のローラ２０，２１，２２が、原稿ＭＳを、ＡＤＦ用読み取り面１１へと搬送した後、ＦＢ用読み取り面１０側へ排出するようにすることで、排紙トレイを別途設ける必要がなくなり、搬送機構を簡略化できる効果もある。
【００８８】
また、本実施形態では特に、ＦＢ方式で画像の読み取りが行われるときには、ＦＢ用読み取り面１０の下方に設けられたＦＢ用光源１７からの発光が、当該ＦＢ用読み取り面１０に載置された原稿ＭＳにおいて反射し、その反射光を魚眼レンズ１６のＦＢ用視野角θ３を介してエリアセンサ１５の光電変換素子３４が一括して受光し、対応する画像読み取り信号を出力する。一方、ＡＤＦ方式で画像の読み取りが行われるときには、ＡＤＦ用読み取り面１１の下方に設けられたＡＤＦ用光源１８からの発光が、ＡＤＦ３のローラ２０，２１，２２による搬送により当該ＡＤＦ用読み取り面１１を通過する原稿ＭＳにおいて反射し、その反射光を魚眼レンズ１６のＡＤＦ用視野角θ４を介してエリアセンサ１５の光電変換素子３４が順次受光し、対応する画像読み取り信号を順次出力する。このようにして、ＦＢ方式であってもＡＤＦ方式であっても円滑に発光及び受光を行い、原稿ＭＳに形成された画像の読み取りを行うことができる。
【００８９】
また、本実施形態では特に、筐体２の上部のうちＦＢ用読み取り面１０とＡＤＦ用読み取り面１１との間に設けられ、ＦＢ用光源１７及びＡＤＦ用光源１８による発光量を調整するための白基準となる白基準板１４を有する。これにより、ＦＢ方式及びＡＤＦ方式において共通の白基準板１４を用いて、光源１７，１８からの発光の明るさ調整や、読み取られた画像のホワイトバランスの調整ができる。この結果、ＦＢ方式で読み取られた画像の色合いや明るさと、ＡＤＦ方式で読み取られた画像の色合いや明るさとの、ずれを抑えることができる。
【００９０】
また、本実施形態では特に、筐体２の内部を、上記ＦＢ用光源１７側の領域と、上記ＡＤＦ用光源１８側の領域とに仕切るように、白基準板１４の下方に設けられた、分離板１９を有する。これにより、ＡＤＦ方式で画像の読み取りが行われるときに、ＡＤＦ用読み取り面１１の下方に設けられたＡＤＦ用光源１８からの発光が、ＦＢ用読み取り面１０側及びＦＢ用光源１７側に漏れにくくすることができる。
【００９１】
なお、本発明は、上記実施形態に限られるものではなく、その趣旨及び技術的思想を逸脱しない範囲内で種々の変形が可能である。以下、そのような変形例を順次説明する。
【００９２】
（１）ＡＤＦ用読み取り面にプリズムレンズを設ける場合
上記実施形態においては、ＡＤＦ用読み取り面１１に、プラテンガラス１３が設けられていたが、これに限られず、ＡＤＦ用読み取り面１１を通過する原稿ＭＳでの反射光を拡大及び屈折可能なプリズムレンズを設けるようにしてもよい。
【００９３】
図７は、本変形例の画像読取装置１の全体概略構成を表す縦断面図である。図８は、プリズムレンズを表す斜視図である。なお、図７は、前述の図１に対応する図である。図１と同等の部分には同符号を付し、説明を適宜省略する。
【００９４】
図７及び図８において、ＡＤＦ用読み取り面１１に対応する位置には、前述のようにしてＡＤＦ用読み取り面１１を通過する原稿ＭＳにおいて反射した反射光を拡大及び屈折可能な、一面が凸状となった透明なプリズムレンズ２５（光学制御部材）が設けられている。
【００９５】
プリズムレンズ２５には、その内部に（具体的にはＡＤＦ用読み取り面１１の下方、かつ、ＡＤＦ用読み取り面１１を通過する原稿ＭＳの近傍位置に）、棒状のＡＤＦ用光源２６（第２発光手段）が埋設されている。
【００９６】
ＡＤＦ用光源２６は、少なくとも一端に発光体を備え、当該発光体の中間が導光部材で構成されている。ＡＤＦ用光源２６の発光体は、ＡＤＦ用読み取り面１１に向けて、この例では白色の光を発光する。このＡＤＦ用光源２６においては、発光体による光の放射がＡＤＦ用読み取り面１１に向かうように、導光部材の一部が発光体からの発光を遮蔽又は反射する構造となっている。
【００９７】
すなわち、本変形例においては、ＡＤＦ方式で画像の読み取りが行われる際には、ＡＤＦ用光源２６の発光体が点灯し、その後、給紙トレイ４に載置された原稿ＭＳが、前述のＡＤＦ３のローラ２０，２１，２２によってＡＤＦ用読み取り面１１へと搬送され、ＡＤＦ用読み取り面１１を通過する。このとき、ＡＤＦ用光源２６の発光体からの発光が、ＡＤＦ用読み取り面１１を通過する原稿ＭＳにおいて反射される。このため、ＡＤＦ用光源２６の発光体からの発光の、ＡＤＦ用読み取り面１１を通過する原稿ＭＳでの反射光は、プリズムレンズ２５により拡大及び屈折された後、前述のＦＢ用視野角θ３と異なる位置であると共に、前述のＡＤＦ用視野角θ４よりも広い、ＡＤＦ用視野角θ４′（第２視野角）を介して前述の魚眼レンズ１６に入射される。したがって、前述のエリアセンサ１５は、原稿ＭＳがＡＤＦ用読み取り面１１を通過する際に、魚眼レンズ１６の視野角θ１を介した受光結果のうち、上記ＡＤＦ用視野角θ４′を介した受光結果に基づき、対応する読み取り画像信号を１ラインずつ順次生成し、ＣＰＵ３０に順次出力する。そして、エリアセンサ１５から順次出力される上記読み取り画像信号を用いて、給紙トレイ４に載置された原稿ＭＳに形成された画像が読み取られる。
【００９８】
上記以外の構成は、上記実施形態の画像読取装置１と同様であるので、説明を省略する。
【００９９】
本変形例によれば、ＡＤＦ方式で画像の読み取りが行われるとき、ＡＤＦ用光源２６からの発光がＡＤＦ用読み取り面１１を通過する原稿ＭＳにおいて反射した反射光は、プリズムレンズ２５によって拡大及び屈折された後、魚眼レンズ１６に入射してエリアセンサ１５の光電変換素子３４で受光される。これにより、上記入射時において魚眼レンズ１６によるＡＤＦ用視野角を拡大することができる。この結果、ＡＤＦ用読み取り面１１を順次通過する原稿ＭＳの画像の１ラインを、より多くの画素でデータ化できることとなる。したがって、歪みや色の補正を、より高精度に行うことができる。また、プリズムレンズ２５の内部にＡＤＦ用光源２６を設けることで、ＡＤＦ用光源２６からの発光時にプリズムレンズ２５による影やムラが生じないようにすることができる。
【０１００】
（２）プリズムレンズのバリエーション（その１）
光学制御部材としては、上記（１）の変形例におけるプリズムレンズ２５に限られない。
【０１０１】
図９は、本変形例におけるプリズムレンズを表す斜視図である。
【０１０２】
図９において、本変形例におけるプリズムレンズ２５′（光学制御部材）は、一面が凸状となった透明なプリズムレンズであり、上記（１）の変形例におけるプリズムレンズ２５（図８参照）の一部が欠損したような形状を備えている。このプリズムレンズ２５′の一部（この例では欠損部）には、前述のＡＤＦ用光源２６が設けられている。このプリズムレンズ２５′を用いた場合も、上記（１）の変形例と同様の効果を得る。
【０１０３】
（３）プリズムレンズのバリエーション（その２）
光学制御部材としては、上記（１）や（２）の変形例におけるプリズムレンズ２５，２５′に限られない。
【０１０４】
図１０は、本変形例におけるプリズムレンズを表す斜視図である。
【０１０５】
図１０において、本変形例におけるプリズムレンズは、前述の魚眼レンズ１６を介し結像する位置を複数箇所にし、同じ内容を複数回読み取り、読み取り補正を行って鮮明な画像を得るために、複数の（この例では３つの）のプリズムレンズ２５Ａ，２５Ｂ，２５Ｃから構成されている。すなわち、これらプリズムレンズ２５Ａ，２５Ｂ，２５Ｃが、各請求項記載の光学制御部材に相当する。これらプリズムレンズ２５Ａ，２５Ｂ，２５Ｃは、それぞれ、一面が凸状となった透明なプリズムレンズである。これらプリズムレンズ２５Ａ，２５Ｂ，２５Ｃを用いた場合も、上記（１）の変形例と同様の効果を得る。
【０１０６】
（４）赤、緑、青の３色の光源を別個に設ける場合
前述の実施形態においては、光源１７，１８による白色の光を原稿ＭＳに照射し、その白色の光の原稿ＭＳでの反射光を、フィルタ２４Ｒ，２４Ｇ，２４Ｂを介して赤色、緑色、青色の各成分に分離した後に、エリアセンサ１５（詳細にはエリアセンサ１５Ｒ，１５Ｇ，１５Ｂ）で受光することにより、カラー読み取りを行っていたが、これに限られない。すなわち、赤色、緑色、青色の光を発光する光源（第１発光手段又は第２発光手段）を別個に設け、これら３色の光源の点灯及び消灯を制御して赤色、緑色、青色の光を交代に原稿ＭＳに照射し、赤色の光の原稿ＭＳでの反射光、緑色の光の原稿ＭＳでの反射光、青色の光の原稿ＭＳでの反射光を、エリアセンサで交代に受光することにより、カラー読み取りを行うようにしてもよい。この場合には、モノクロ読み取り時に、原稿とエリアセンサとの間にフィルタを介さないので、明るい画像を得ることができる。
【０１０７】
また、以上既に述べた以外にも、上記実施形態や各変形例による手法を適宜組み合わせて利用しても良い。
【０１０８】
その他、一々例示はしないが、本発明は、その趣旨を逸脱しない範囲内において、種々の変更が加えられて実施されるものである。
【符号の説明】
【０１０９】
１              画像読取装置
２              筐体
３              ＡＤＦ（原稿搬送装置）
１０            ＦＢ用読み取り面（第１読み取り面）
１１            ＡＤＦ用読み取り面（第２読み取り面）
１４            白基準板
１５，１５Ｒ，１５Ｇ，１５Ｂ      エリアセンサ
１６            魚眼レンズ
１７            ＦＢ用光源（第１発光手段）
１８，２６      ＡＤＦ用光源（第２発光手段）
１９            分離板（遮光壁）
２５，２５′，２５Ａ，２５Ｂ，２５Ｃ      プリズムレンズ（光学制御部材）
３０            ＣＰＵ
３４            光電変換素子（受光手段）
ＭＳ            原稿
θ３            ＦＢ用視野角（第１視野角）
θ４，θ４′    ＡＤＦ用視野角（第２視野角）
【図１】
0005561545.tif 000002
【図２】
0005561545.tif 000003
【図３】
0005561545.tif 000004
【図４】
0005561545.tif 000005
【図５】
0005561545.tif 000006
【図６】
0005561545.tif 000007
【図７】
0005561545.tif 000008
【図８】
0005561545.tif 000009
【図９】
0005561545.tif 000010
【図１０】
0005561545.tif 000011